(57)【要約】【課題】隣り合う電極端子間のピッチのずれを容易に調整可能な電池配線モジュールを提供する。【解決手段】正極及び負極の電極端子１２を有する単電池１１を複数個並べてなる単電池群１０に取り付けられる電池配線モジュール２０は、電極端子１２に接続される複数のバスバー２１と、バスバー２１を保持する保持部３２を有する絶縁樹脂製の樹脂プロテクタ３０と、を備える。バスバー２１は、保持部３２により、単電池１１の並び方向に移動可能に保持されている。【選択図】図１
2013105571.tif 000002
【特許請求の範囲】
【請求項１】
正極及び負極の電極端子を有する単電池を複数並べてなる単電池群に取り付けられる電池配線モジュールであって、
前記電極端子に接続される複数の接続部材と、前記接続部材を保持する保持部を有する絶縁樹脂製の樹脂プロテクタと、を備え、
前記接続部材は、前記保持部により、前記単電池の並び方向に移動可能に保持されている電池配線モジュール。
【請求項２】
前記樹脂プロテクタには、隣り合う前記接続部材の間に配されて、隣り合う前記接続部材の絶縁状態を保持する絶縁壁が設けられていることを特徴とする請求項１に記載の電池配線モジュール。
【請求項３】
前記樹脂プロテクタは、前記保持部を備える保持ユニットを、複数備え、複数の前記保持ユニットは、前記単電池の並び方向に移動可能に連結されていることを特徴とする請求項１または請求項２に記載の電池配線モジュール。
【請求項４】
前記保持部には、前記接続部材を取り付け可能な取付突部が設けられる一方、前記接続部材には、前記取付突部を受け入れるとともに、前記単電池の並び方向に延びる形状の取付孔が設けられていることを特徴とする請求項１ないし請求項３のいずれか一項に記載の電池配線モジュール。
【請求項５】
一方の端末が前記接続部材に接続されるとともに、当該接続部材に接続された単電池の電圧を検知する電圧検知回路を構成する電圧検知用導電路が形成されたフレキシブルプリント基板を備え、
前記フレキシブルプリント基板は、前記保持部により、前記単電池の並び方向に移動可能に保持されていることを特徴とする請求項１ないし請求項４のいずれか一項に記載の電池配線モジュール。
【請求項６】
前記フレキシブルプリント基板には複数の電圧検知用導電路が形成されるとともに、前記複数の電圧検知用導電路には、それぞれ前記接続部材が接続され、
前記フレキシブルプリント基板の、隣り合う前記接続部材間に配される領域には撓み部が形成されていることを特徴とする請求項５に記載の電池配線モジュール。
【請求項７】
前記フレキシブルプリント基板には、前記電圧検知用導電路とともに、前記単電池の温度を制御する温度制御用回路を構成する温度制御用導電路が形成されていることを特徴とする請求項５または請求項６に記載の電池配線モジュール。 
【発明の詳細な説明】
【技術分野】
【０００１】
本発明は、電池配線モジュールに関する。
【背景技術】
【０００２】
電気自動車やハイブリッド車用の電池モジュールでは、出力を大きくするために多数の単電池が横並びに接続されている。隣り合う単電池の電極端子間をバスバーなどの接続部材で接続することにより複数の単電池が直列や並列に接続されるようになっている。
【０００３】
上記構成の電池モジュールを組み立てる際には、複数箇所の電極端子間を接続部材で接続する必要があるため、電極端子間にそれぞれ接続部材を接続する作業を繰り返すという煩雑な作業が必要になる。
【０００４】
そこで、接続する電極端子間の数に応じて、インサート成形等により金型内に配置した複数の接続部材を樹脂内に一体成形した電池接続プレートを形成することが考えられる（たとえば特許文献１を参照）。
【先行技術文献】
【特許文献】
【０００５】
【特許文献１】特許第３９９０９６０号公報
【発明の概要】
【発明が解決しようとする課題】
【０００６】
上記特許文献１に記載されている電池接続プレートを用いると、複数の単電池から突出する複数の電極端子に１つの電池接続プレートを取り付けるだけで、隣り合う単電池の電極端子間を複数箇所についてまとめて接続することができ、作業効率を向上させることが可能になる。
【０００７】
しかしながら、並べられた複数の単電池間には、組み付け公差が設定されているため、複数の単電池が並べられた電池モジュールにおいては、隣り合う単電池に形成された電極端子間のピッチがずれる場合がある。すると、上記した電池接続プレートを電極端子に接続する際に、電極端子と、電池接続プレートに配置された接続部材との間に位置ずれが生じるため、電池接続プレートの接続作業の効率が低下することが懸念される。
【０００８】
本発明は上記のような事情に基づいて完成されたものであって、隣り合う電極端子間のピッチのずれを容易に調整可能な電池配線モジュールを提供することを目的とする。
【課題を解決するための手段】
【０００９】
上記課題を解決するものとして、本発明は、正極及び負極の電極端子を有する単電池を複数並べてなる単電池群に取り付けられる電池配線モジュールであって、前記電極端子に接続される複数の接続部材と、前記接続部材を保持する保持部を有する絶縁樹脂製の樹脂プロテクタと、を備え、前記接続部材は、前記保持部により、前記単電池の並び方向に移動可能に保持されている電池配線モジュールである。
【００１０】
本発明において、樹脂プロテクタの保持部は、電極端子を接続する接続部材を、複数の単電池の並び方向に移動可能に保持するので、電極端子間のピッチのずれが生じた場合に、接続部材が単電池の並び方向に移動することでピッチのずれを調整することができる。その結果、本発明によれば隣り合う電極端子間のピッチのずれを容易に調整可能な電池配線モジュールを提供することができる。
【００１１】
本発明は以下の構成であってもよい。
前記樹脂プロテクタには、隣り合う前記接続部材の間に配されて、隣り合う前記接続部材の絶縁状態を保持する絶縁壁が設けられていてもよい。
このような構成とすると、隣り合う接続部材の絶縁状態を保持できる。
【００１２】
前記樹脂プロテクタは、前記保持部を備える保持ユニットを、複数備え、複数の前記保持ユニットは、前記単電池の並び方向に移動可能に連結されていいてもよい。
単電池群を構成する単電池が、単電池の並び方向に膨張・収縮することにより、電極端子間のピッチのずれが大きくなると、特許文献１に記載されているような一体成形型の接続プレートではピッチのずれを調整できなくなるおそれがある。そこで、上記のような構成とすると、電極端子間のピッチのずれが大きくなったとしても、保持ユニットが複数の単電池の並び方向に移動することで、ピッチのずれを調整することができる。
【００１３】
前記保持部には、前記接続部材を取り付け可能な取付突部が設けられる一方、前記接続部材には、前記取付突部を受け入れるとともに、前記単電池の並び方向に延びる形状の取付孔が設けられていてもよい。
このような構成とすると、接続部材の取付孔を保持部の取付突部に取り付けておけば接続部材が単電池の並び方向に移動可能であるので、簡易な構造により、電極端子間のピッチのずれを調整することができる。
【００１４】
一方の端末が前記接続部材に接続されるとともに、当該接続部材に接続された単電池の電圧を検知する電圧検知回路を構成する電圧検知用導電路が形成されたフレキシブルプリント基板を備え、前記フレキシブルプリント基板は、前記保持部により、前記単電池の並び方向に移動可能に保持されていてもよい。
このような構成とすると、電圧検知回路を備える電池配線モジュールにおいて、電圧検知用導電路が形成されたフレキシブルプリント基板も、保持部により、単電池の並び方向に移動可能に保持されるので、フレキシブルプリント基板によっても、隣り合う電極端子間のピッチのずれを調整することができる。
【００１５】
前記フレキシブルプリント基板には複数の電圧検知用導電路が形成されるとともに、前記複数の電圧検知用導電路には、それぞれ前記接続部材が接続され、前記フレキシブルプリント基板の、隣り合う前記接続部材間に配される領域には撓み部が形成されていてもよい。
このような構成とすると、フレキシブルプリント基板の撓み部が伸長することにより、接続部材間のピッチのずれを調整することができる。
【００１６】
前記フレキシブルプリント基板には、前記電圧検知用導電路とともに、前記単電池の温度を制御する温度制御用回路を構成する温度制御用導電路が形成されていてもよい。
このような構成とすると、１つのフレキシブルプリント基板に、電圧検知機能と温度制御機能の双方の機能を持たせることができるので、電圧検知機能と温度制御機能を有する部材の接続作業を簡素化できるうえに、部品点数を減らすことができる。
【発明の効果】
【００１７】
本発明によれば、隣り合う電極端子間のピッチのずれを容易に調整可能な電池配線モジュールを提供することができる。
【図面の簡単な説明】
【００１８】
【図１】蓋を外した状態の実施形態１の電池配線モジュールを取り付けた電池モジュールの一部斜視図
【図２】電池配線モジュールの斜視図
【図３】フレキシブルプリント基板（ＦＰＣ）と接続部材を保持した樹脂プロテクタおよび蓋ユニットを示す斜視図
【図４】接続部材と接続したＦＰＣおよび樹脂プロテクタを示す斜視図
【図５】連結前の保持ユニットの斜視図
【図６】連結後の保持ユニット（樹脂プロテクタ）の平面図
【図７】図６のＡ−Ａ線における断面図連結後の保持ユニット（樹脂プロテクタ）の平面図
【図８】ＦＰＣおよび接続部材を示す分解斜視図
【図９】ＦＰＣの導電路を部分的に示す斜視図
【図１０】実施形態２の電池配線モジュールの斜視図
【図１１】電池配線モジュールを取り付けた電池モジュールの一部平面図
【図１２】図１４の一部拡大図
【図１３】保持ユニットの斜視図
【図１４】保持ユニットの左側面図
【図１５】保持ユニットの右側面図
【図１６】保持ユニットに接続部材を挿入する様子を示す斜視図
【図１７】連結前の保持ユニットを示す斜視図
【図１８】連結後の保持ユニット（樹脂プロテクタ）に電圧検知端子を挿入する様子を示す斜視図
【発明を実施するための形態】
【００１９】
＜実施形態１＞
本発明の実施形態１を図１ないし図９を参照しつつ説明する。本実施形態に係る電池配線モジュール２０は、図１に示すように、正極及び負極の電極端子１２を有する複数個（本実施形態では１４個）の単電池１１を並べてなる単電池群１０に取り付けられるものである。以下、正極の電極端子１２を正極端子１２Ａ、負極の電極端子１２を負極端子１２Ｂといい両者を総括するときは電極端子１２という。
【００２０】
本実施形態の電池配線モジュール２０を単電池群１０に取り付けてなる電池モジュールＭ１は、例えば、電気自動車又はハイブリッド自動車等の、車両（図示せず）の駆動源として使用される。単電池群１０を構成する複数の単電池１１は、電池配線モジュール２０によって、異なる単電池１１の正極端子１２Ａと負極端子１２Ｂとを電気的に接続することにより、直列に接続されている。以下の説明において図３における上方を上とし下方を下とする。
【００２１】
（単電池１１）
単電池１１は、扁平な直方体形状をなしている。単電池１１の上面１１Ａには、図１に示すように、正極端子１２Ａ及び負極端子１２Ｂが形成されている。電極端子１２は、金属板材からなる台座（図示せず）と、台座から上方に向かって丸棒状に突出する電極ポスト１３Ｂとを備える。電極ポスト１３Ｂの表面には、ねじ山１４が形成されている。複数個の単電池１１は、隣り合う単電池１１の電極端子１２の極性が異なるように（正極端子１２Ａと負極端子１２Ｂとが交互に配されるように）並べられている。電極ポスト１３Ｂはバスバー２１（接続部材の一例）の貫通孔２３（詳細は後述）に挿通され、図示しないネジ部材の螺合によりバスバー２１に固定されるようになっている。また、これら複数個の単電池１１は、単電池群１０を構成するように図示しない保持具によって固定されている。
【００２２】
（電池配線モジュール２０）
電池用配線モジュール２０は、単電池群１０の上面１１Ａ（電極端子面）の略中央に取り付けられる。
電池配線モジュール２０は、図２〜図４に示すように、単電池１１の電極端子１２に接続される複数のバスバー２１と、バスバー２１に接続され単電池１１の電圧を検知する電圧検知用の導電路４２が形成されたＦＰＣ４０と、バスバー２１およびＦＰＣ４０を保持する保持部３２を有する合成樹脂製の樹脂プロテクタ３０を備える。本実施形態の電池配線モジュール２０の上面には、別体の蓋１６がとりつけられるようになっている。
【００２３】
（蓋１６）
蓋１６は、絶縁樹脂材料からなり、図２および図３に示すように、左右方向に並べられた２枚の蓋１６からなる。各蓋１６は、略中央の扁平状部１６Ａと、扁平状部１６Ａの長手方向の一対の側縁にヒンジ１６Ｃを介して連なる山形状の側縁部１６Ｂとからなる。扁平状部１６ＡはＦＰＣ４０を覆う部分であり、２つの側縁部１６Ｂは、それぞれバスバー２１の電極端子１２と接続される端子接続部２２（詳細は後述）の上を覆う部分である。
【００２４】
蓋１６の扁平状部１６Ａの長手方向における両側縁には、ヒンジ１６Ｃに沿って、保持ユニット３１に設けた蓋固定突部３６を受け入れ可能な固定孔１７が形成されている。
【００２５】
（樹脂プロテクタ３０）
樹脂プロテクタ３０は、図４および図５に示すように、左右方向に連結された複数（本実施形態では２つ）の保持ユニット３１からなる。複数の保持ユニット３１は単電池１１の並び方向に沿って並べられており相互に連結されている。以下の説明において、２つの保持ユニット３１を区別して説明するときは、図５に示す左側の保持ユニット３１を第１保持ユニット３１Ａとし、図５に示す右側の保持ユニット３１を第２保持ユニット３１Ｂとする。
【００２６】
（保持ユニット３１）
保持ユニット３１は、絶縁樹脂材料からなる。保持ユニット３１は、単電池１１の並び方向に略平行に配され、ＦＰＣ４０とバスバー２１とを重ねた状態で保持する直方体状の保持部３２と、保持部３２をバスバー２１の配置領域ごとに仕切る仕切壁３３とを備える。
【００２７】
保持部３２の上面（ＦＰＣ４０が載置される面）には、図４に示すように、保持部３２の長手方向の側縁に沿って形成され、バスバー２１とＦＰＣ４０とを重ねた状態で取り付け可能な取付突部３４が複数設けられている。
また、保持部３２の上面の、単電池１１の並び方向に沿って配される２つの側縁のうち、図４における手前側の側縁にはＦＰＣ４０の挿入片４６を受け入れる挿入片受入孔３５が設けられている。
【００２８】
保持部３２の側面には、樹脂プロテクタ３０に蓋１６を固定するための蓋固定突部３６が形成されている。蓋固定突部３６は蓋１６に形成された固定孔１７に受け入れられて係止される。
【００２９】
仕切壁３３は、図３に示すように、隣り合うバスバー２１の、電極端子１２と接続される端子接続部２２の間においてバスバー２１に対して切り立つように設けられており、隣り合うバスバー２１間の絶縁状態を保持する絶縁壁として機能する。
【００３０】
第１保持ユニット３１Ａは、詳細は後述するが、３つの第１バスバー２１Ａ、３つの第２バスバー２１Ｂおよび１つの第３バスバー２１Ｃを保持可能とされる。第２保持ユニット３１Ｂは、３つの第１バスバー２１Ａ、４つの第２バスバー２１Ｂ、および１つの第３バスバー２１Ｃを保持可能とされる。
【００３１】
（保持ユニット３１の連結構造）
次に、第１保持ユニット３１Ａと第２保持ユニット３１Ｂを連結するための連結構造について説明する。
第１保持ユニット３１Ａの図５に示す右側面には、連結係止片３７が右方向に２つ突出形成されている。連結係止片３７には、連結係止爪３７Ａが上方に突出形成されている。
【００３２】
第２保持ユニット３１Ｂの図５に示す左側面には、第１保持ユニット３１Ａの連結係止片３７が挿入可能な係止片挿入孔３８が２つ形成されている。第２保持ユニット３１Ｂには、係止片挿入孔３８から連通して、連結係止爪３７Ａを係止する係止片係止孔３９が形成されている。係止片係止孔３９には、図６および図７に示すように、連結係止片３７が単電池１１の並び方向に移動可能な隙間Ｓ１が設定されている。これにより、電極端子１２，１２間のピッチのずれが大きくなったとしても、保持ユニット３１が単電池１１の並び方向に移動することでピッチのずれを吸収できるようになっている。なお、図７において、Ｘ１は連結係止爪３７Ａと係止片係止孔３９の図示左側の孔縁３９Ａとの間の距離を示し、Ｘ２は連結係止爪３７Ａと係止片係止孔３９の図示右側の孔縁３９Ａとの間の距離を示しており、連結係止爪３７Ａは、隙間内Ｓ１をＸ１とＸ２の合計分、移動可能である。
【００３３】
（バスバー２１）
バスバー２１は、銅、銅合金、ステンレス鋼、アルミニウム等の金属からなる板材を所定形状にプレス加工してなる。バスバー２１の表面には、スズ、ニッケル等に金属がメッキされていてもよい。
【００３４】
本実施形態では、バスバー２１として、図８に示すように、３種類の形状のバスバー２１を用いる。図８に示す手前側のバスバー２１のうち、図示左右の端部に配された、バスバー２１を第３バスバー２１Ｃとし、第３バスバー２１Ｃの間に配された６つのバスバー２１を第１バスバー２１Ａとし、図８に示す奥側の最も大きい７つのバスバー２１を第２バスバー２１Ｂとする。
【００３５】
第１バスバー２１Ａおよび第２バスバーの長手方向（単電池１１の並び方向）の寸法は、隣り合う単電池１１の電極端子１２，１２間の寸法に応じて設定される。
各バスバー２１は段付き形状をなしており、単電池１１の電極端子１２と接続される略長方形状の端子接続部２２と、端子接続部２２から連なり上方に立ち上がる起立壁２４と、起立壁２４から連なり保持ユニット３１の上面に載置されＦＰＣ４０と接続されるＦＰＣ接続部２５とを備える。
【００３６】
各バスバー２１の端子接続部２２には、単電池１１の電極端子１２の電極ポスト１３Ｂが挿通される貫通孔２３が形成されている。端部バスバー２１には貫通孔２３が１つ形成され、第１バスバー２１Ａおよび第２バスバー２１Ｂには、それぞれ貫通孔２３が２つずつ形成されている。
【００３７】
さて、各バスバー２１のＦＰＣ接続部２５には樹脂プロテクタ３０の保持部３２の上面に形成された取付突部３４を受け入れ可能な取付孔２６が設けられている。取付孔２６は、単電池１１の並び方向を長手方向とする長円状をなしている。本実施形態においては、取付突部３４が長円状の取付孔２６内を移動することにより、単電池１１の製造公差や組み付け公差に起因する隣り合う電極端子１２，１２間のピッチのずれを吸収可能となっている。
【００３８】
第３バスバー２１Ｃには取付孔２６が１つ形成され、第１バスバー２１Ａおよび第２バスバー２１Ｂには、それぞれ取付孔２６が２つずつ形成されている。
各バスバー２１のＦＰＣ接続部２５の両端部には取付孔２６に隣接してスリット２７が形成されている。このスリット２７は、取付孔２６にかかる応力を分散する機能を有するものである。
【００３９】
（ＦＰＣ４０）
バスバー２１のＦＰＣ接続部２５には、ＦＰＣ４０が載置される。ＦＰＣ４０は、図４、図８および図９に示すように、例えばポリイミドフィルムや液晶状フィルム等からなる絶縁性のベースフィルムの片面または両面にプリント配線技術により複数の導電路４２を形成し、その導電路４２の表面を保護フィルム（例えば、ポリイミド製フィルム）で覆った構造とされる。なお、図９以外では、導電路４２の図示を省略している。
【００４０】
ＦＰＣ４０は帯状をなし、図１に示すように、単電池１１の並び方向に沿って配される。ＦＰＣ４０の略中央部には複数の電子部品４４が実装されている。電子部品４４は図９に示すように、ＦＰＣ４０に形成した半田パッド４３を介して導電路４２に接続されている。ＦＰＣ４０には、電圧検知回路を構成する電圧検知用導電路４２Ａと、温度制御用回路を構成する温度制御用導電路４２Ｂが形成されている。電圧検知用導電路４２Ａの端部と温度制御用導電路４２Ｂの端部には、例えば図示しないＥＣＵなどが接続されるようになっている。ここで、電池ＥＣＵは、マイクロコンピュータ、素子等が搭載されたものであって、単電池１１の電圧・電流・温度等を検出して、各単電池１１の監視制御等を行うための機能を備えた周知の構成のものである。
【００４１】
ＦＰＣ４０の長手方向の両側縁のうち、第１バスバー２１Ａが配置される側の側縁（図３における手前側）は、短冊状の挿入片４６が３つ設けられている。この挿入片４６には図９に示すように、温度制御用導電路４２Ｂが形成されており、温度制御用導電路４２Ｂの端部には図示しない半田パッド４３を介してサーミスタ４６Ａが実装されている。挿入片４６は、図８に示すように、ＦＰＣ４０の側縁の一部を切り欠いて下方に折り曲げ加工することにより形成されている。
【００４２】
ＦＰＣ４０には、単電池１１の並び方向（長手方向）に伸長可能な撓み部４７が形成されている。撓み部４７は、側面視台形状をなして上方に突出形成されており、この撓み部４７によってバスバー２１間のピッチのずれを調整可能となっている。各撓み部４７は、隣り合う第２バスバー２１Ｂの間に配されている。
【００４３】
ＦＰＣ４０の長手方向の両端縁にはそれぞれ、保持ユニット３１の取付突部３４を受け入れ可能な取付孔４５が形成されている。ＦＰＣ４０の取付孔４５は、単電池１１の並び方向を長手方向とする長円状をなしている。
【００４４】
ＦＰＣ４０の取付孔４５は、バスバー２１の取付孔２６と概ね同形同大であり、バスバー２１の取付孔２６と重なり合うように設けられている。ＦＰＣ４０の取付孔４５とバスバー２１の取付孔２６は互いに重なり合って、樹脂プロテクタ３０の取付突部３４を受け入れている。
【００４５】
本実施形態においては、取付突部３４が、ＦＰＣ４０の取付孔４５内およびバスバー２１の取付孔２６内を移動することにより、単電池１１の製造公差や組み付け公差に起因する隣り合う電極端子１２，１２間のピッチのずれを吸収可能となっている。
【００４６】
ＦＰＣ４０の取付孔４５を取り囲む領域は、図９に示すように、バスバー２１の取付孔２６を囲む領域と、半田パッド４３を介して接着されるとともに、電気的に接続されている。この半田パッド４３には電圧検知用導電路４２ＡのＥＣＵと接続される端部とは反対側の端部（一方の端部）が接続されている。
【００４７】
（電池配線モジュール２０の組み付け方法）
次に、電池配線モジュール２０の組み付け方法について説明する。
まず、電圧検知用導電路４２Ａ、温度制御用導電路４２Ｂなどの導電路４２を形成したＦＰＣ４０の側縁の一部を切り欠くことにより、図８に示すような形状に加工しておき、各電子部品４４や、サーミスタ４６Ａを実装する。
【００４８】
各バスバー２１を図８に示すように並べておき、バスバー２１のＦＰＣ接続部２５をＦＰＣ４０と接着して一体とする。バスバー２１とＦＰＣ４０とを接着する際には、バスバー２１の取付孔２６とＦＰＣ４０の取付孔４５が重なるように配置し、取付孔２６，４５の周縁を半田パッド４３を介して接着する。バスバー２１とＦＰＣ４０とを一体化した後、あるいは一体化する前に挿入片４６を下方へ折り曲げて図４に示すような形状とする。
【００４９】
上記バスバー２１とＦＰＣ４０の接着作業と同時または前後して、第１保持ユニット３１Ａと第２保持ユニット３１Ｂとを連結し一体化する（図５および図６を参照）。第１保持ユニット３１Ａの連結係止片３７を第２保持ユニット３１Ｂの係止片挿入孔３８に挿入すると、連結係止片３７の連結係止爪３７Ａが係止片挿入孔３８の孔壁に当接し下方にたわみ変形する。連結係止爪３７Ａの全体が係止片係止孔３９に嵌り込むと、連結係止爪３７Ａが弾性復帰するとともに係止片係止孔３９内に受け入れられ、第１保持ユニット３１Ａが第２保持ユニット３１Ｂに連結される。
【００５０】
ここで、係止片係止孔３９には、図７に示すように、連結係止片３７との間に隙間Ｓ１が設定されているので、第１保持ユニット３１Ａが第２保持ユニット３１Ｂに連結された状態においても、連結係止片３７は係止片係止孔３９内で単電池１１の並び方向に移動可能である。
【００５１】
次に、保持ユニット３１の一体化により得られた樹脂プロテクタ３０の上に、バスバー２１を接着したＦＰＣ（バスバー接着ＦＰＣ４１ともいう)を取り付ける。具体的には、バスバー接着ＦＰＣ４１のバスバー２１の取付孔２６およびＦＰＣ４０の取付孔４５を、樹脂プロテクタ３０の保持部３２の取付突部３４に挿通させるとともに、保持部３２の挿入片受入孔３５に、バスバー接着ＦＰＣ４１の挿入片４６を挿入する。
【００５２】
撓み部４７を形成しない状態（図４に示すような状態）のバスバー接着ＦＰＣ４１の長手方向の寸法は、樹脂プロテクタ３０の保持部３２の上面の長手方向の寸法よりも大きく設定されているので、バスバー接着ＦＰＣ４１を保持部３２の上面に取り付ける際に、バスバー２１の取付孔２６およびＦＰＣ４０の取付孔４５内に、取付突部３４が挿入できない場合がある。そこで、バスバー接着ＦＰＣ４１を保持部３２の上面に取り付ける際には、バスバー接着ＦＰＣ４１の第２バスバー２１Ｂの間に配される部分に撓み部４７を形成して、バスバー接着ＦＰＣ４１の長手方向の寸法を調整しながら、バスバー２１の取付孔２６およびＦＰＣ４０の取付孔４５に、取付突部３４を挿入する。このようにしてバスバー接着ＦＰＣ４１を樹脂プロテクタ３０に取り付けると、本実施形態の電池配線モジュール２０が得られる。
【００５３】
上記のようにして得られた電池配線モジュール２０を単電池群１０に組み付ける。隣り合う単電池１１の隣り合う電極端子１２が異なった極性となるように並べて単電池群１０を作製しておき、単電池群１０に電池配線モジュール２０を組み付ける。具体的には、各バスバー２１の貫通孔２３に、単電池１１の電極端子１２（電極ポスト１３Ｂ）を挿通させる。
【００５４】
貫通孔２３を電極ポスト１３Ｂに挿通させてバスバー２１の端子接続部２２を電極端子１２の台座に接触させるように配して、各電極ポスト１３Ｂに図示しないネジ部材を螺合して固定する。
このとき、樹脂プロテクタ３０には、隣り合うバスバー２１の絶縁状態を保持する仕切壁３３が設けられているのでバスバー２１間において短絡が生じることはない。
【００５５】
上記の作業を繰り返して、電極ポスト１３Ｂにネジ部材を固定し終わったら、単電池群１０は電気的に接続可能となる。次に、電池配線モジュール２０に蓋１６を取り付けると電池モジュールＭ１が完成する。
【００５６】
（本実施形態の作用、効果）
以下、本実施形態の作用および効果について説明する。
本実施形態において、樹脂プロテクタ３０の保持部３２に設けた取付突部３４は、バスバー２１の取付孔２６およびＦＰＣ４０の取付孔４５内を、単電池１１の並び方向に移動可能に保持するので、電極端子１２，１２間のピッチのずれが生じた場合に、バスバー２１が単電池１１の並び方向に移動することでピッチのずれを調整することができる。その結果、本実施形態によれば隣り合う電極端子１２，１２間のピッチのずれを容易に調整可能な電池配線モジュール２０を提供することができる。
【００５７】
特に、本実施形態によれば、バスバー２１の取付孔２６およびこれと重なり合うＦＰＣ４０の取付孔４５を保持部３２の取付突部３４に取り付けておけばバスバー２１が単電池１１の並び方向に移動可能であるので、簡易な構造により、電極端子１２，１２間のピッチのずれを調整することができる。
【００５８】
さらに、本実施形態によれば、電圧検知用導電路４２Ａが形成されたＦＰＣ４０も、保持部３２により、単電池１１の並び方向に移動可能に保持されるので、ＦＰＣ４０によっても、隣り合う電極端子１２，１２間のピッチのずれを調整することができる。
【００５９】
また、本実施形態によれば、樹脂プロテクタ３０には、隣り合うバスバー２１の間に配されて、隣り合うバスバー２１の絶縁状態を保持する絶縁壁として機能する仕切壁３３が設けられているから、隣り合うバスバー２１の絶縁状態を保持できる。
【００６０】
ところで、単電池群１０を構成する単電池１１が、単電池１１の並び方向に膨張・収縮することにより、電極端子１２，１２間のピッチのずれが大きくなると、一体成形型の樹脂プロテクタ３０ではピッチのずれを調整できなくなるおそれがある。しかしながら、本実施形態によれば、樹脂プロテクタ３０は、保持部３２を備える保持ユニット３１を、複数備え、複数の保持ユニット３１は、単電池１１の並び方向に移動可能に係止され連結されているから、電極端子１２，１２間のピッチのずれが大きくなったとしても、保持ユニット３１が複数の単電池１１の並び方向に移動することで、ピッチのずれを調整することができる。
【００６１】
また、本実施形態によれば、ＦＰＣ４０には複数の電圧検知用導電路４２Ａが形成されるとともに、複数の電圧検知用導電路４２Ａには、それぞれバスバー２１が接続され、ＦＰＣ４０の、隣り合うバスバー２１間に配される領域には撓み部４７が形成されているから、ＦＰＣ４０の撓み部４７が伸長することにより、バスバー２１間のピッチのずれを調整することができる。
【００６２】
また、本実施形態によればＦＰＣ４０には、電圧検知用導電路４２Ａとともに、単電池１１の温度を制御する温度制御用回路を構成する温度制御用導電路４２Ｂが形成されているから、１つのＦＰＣ４０に、電圧検知機能と温度制御機能の双方の機能を持たせることができるので、電圧検知機能と温度制御機能を有する部材の接続作業を簡素化できるうえに、部品点数を減らすことができる。
【００６３】
＜実施形態２＞
本発明の実施形態２を図１０ないし図１８を参照しつつ説明する。本実施形態に係る電池配線モジュール６０は、図１１に示すように、正極及び負極の電極端子１２を有する複数個（本実施形態では１２個）の単電池１１を並べてなる単電池群５０に取り付けられるものである。本実施形態の単電池群５０を構成する単電池１０の構成は、実施形態１の単電池１０と同じ構成である。本実施形態でも、複数の単電池１０は直列に接続されている。以下の説明において図１４における上方を上とし下方を下とする。
【００６４】
（電池配線モジュール６０）
本実施形態の電池配線モジュール６０は、単電池群５０の上面１１Ａ（電極端子面）において、２列の電極端子１２の列にそれぞれ取り付けられるようになっているが、図１１には、一方の電極端子１２の列に取り付けられた電池配線モジュール６０のみを示している。
【００６５】
電池配線モジュール６０は、図１１に示すように、単電池１１の電極端子１２に接続される複数のバスバー６１と、バスバー６１に接続され単電池１１の電圧を検知する電圧検知端子６３と、バスバー６１および電圧検知端子６３を保持する保持部７２を有する合成樹脂製の樹脂プロテクタ７０を備える。
【００６６】
（バスバー６１）
バスバー６１は、銅、銅合金、ステンレス鋼、アルミニウム等の金属からなる板材を所定形状にプレス加工してなる。バスバー６１の表面には、スズ、ニッケル等に金属がメッキされていてもよい。バスバー６１は略長方形状をなしており、その長手方向（図１１における左右方向）の寸法は、隣り合う単電池１１の電極端子１２，１２間の寸法に応じて設定される。本実施形態において複数のバスバー６１は同形同大である。
【００６７】
バスバー６１には、所定の間隔を空けて一対の貫通孔６２が形成されている。一対の貫通孔６２内には、単電池１１の電極端子１２の電極ポスト１３Ｂがそれぞれ挿通される。本実施形態における貫通孔６２は、図１２に示すように、単電池１１の並び方向（図１２における左右方向）を長手方向とする長円状をなしているので、電極端子１２に対してバスバー６１が相対的に移動可能となっている。つまり、バスバー６１は、図１２に示すように、保持部７２により、隙間Ｓ２の寸法を大きくしたり小さくする方向（単電池１１の並び方向）に移動可能に保持されている。これにより、バスバー６１が保持部７２内を単電池１１の並び方向に移動して、単電池１１の製造公差や組み付け公差に起因する隣り合う電極端子１２，１２間のピッチのずれを調整できるようになっている。
【００６８】
（電圧検知端子６３）
バスバー６１の上に重ね合わされる電圧検知端子６３は、平板状の本体部６３Ａと、本体部６３Ａから連なり検知電線Ｗが圧着されるバレル部６３Ｂを備える。本体部６３Ａの中心部には、バスバー６１の一対の貫通孔６２のいずれか一方と重なるように配されて、バスバー６１の一方の貫通孔６２に挿通される電極端子１２の電極ポスト１３Ｂを挿通可能な挿通孔６４が貫通して形成されている。挿通孔６４は、バスバー６１の貫通孔６２よりもわずかに小さく形成されている。
【００６９】
電圧検知端子６３のバレル部６３Ｂが形成されている端縁と対向する端縁には、外側方向に張り出す突片６５が形成されている。この突片６５は、保持部７２の端子係止孔７５により係止され、これにより電圧検知端子６３の上下方向の移動が規制される。
【００７０】
電圧検知端子６３は、銅、銅合金、ステンレス鋼、アルミニウム等の金属板材を所定の形状にプレス加工してなる。電圧検知端子６３の表面は、スズ、ニッケル等の金属によってメッキされていてもよい。
【００７１】
電圧検知端子６３に接続された検知電線Ｗは、後述の樹脂プロテクタ７０の電線収容部７８に収容されて、電池ＥＣＵ（図示せず）に接続される。検知電線Ｗには検知電線Ｗを束ねる結束部材６６が取り付けられていてコンパクトにまとめられている。
【００７２】
（樹脂プロテクタ７０）
樹脂プロテクタ７０は、図１０および図１７に示すように、左右方向に連結された複数（本実施形態では２つ）の保持ユニット７１からなる。２つの保持ユニット７１は単電池１１の並び方向に沿って並べられており、相互に連結されている。保持ユニット７１の連結構造の詳細については後述する。
【００７３】
保持ユニット７１は、バスバー６１および電圧検知端子６３を収容し保持する保持部７２と、電圧検知端子６３に接続された検知電線Ｗを導出する導出溝７６と、導出溝７６から導出された電圧検知端子６３の検知電線Ｗを収容する電線収容部７８と、を備えている。これらの部材は一体的に形成されている。以下、各部材について説明する。
【００７４】
（保持部７２）
保持ユニット７１には、図１７に示すように、３つのバスバー６１をそれぞれ収容する３つの保持部７２が設けられている。各保持部７２は、上方に開口しており、図１６に示すように、バスバー６１の周縁を取り囲む包囲壁７３と、バスバー６１が載置される底壁７３Ｅとを備える。
【００７５】
底壁７３Ｅは、図１６に示すように、保持部７２の略中央部分と、包囲壁７３に沿った端部に部分的に設けられており、バスバー６１を載置しつつ、バスバー６１と電極端子１２との電気的な接続を妨げないように設けられている。
【００７６】
包囲壁７３の高さ寸法は、詳細は図示しないが電池配線モジュール６０が単電池群５０に接続された状態において、電極端子１２の上端部よりも高く設定されている。これにより、工具等が正極端子１２Ａおよび負極端子１２Ｂに接触して、正極端子１２Ａと負極端子１２Ｂとが工具等を介して短絡することを抑制できるようになっている。
【００７７】
本実施形態において包囲壁７３は、バスバー６１の周縁のほぼ全域を取り囲むように形成されている。具体的には、包囲壁７３は、図１６における奥側に配される後壁７３Ａと、図１６における手前側に配される前壁７３Ｂと、バスバー６１の短辺方向の一対の側縁が配される図示左右の側壁７３Ｃ，７３Ｄ（左側壁７３Ｃ、右側壁７３Ｄ）とからなる。前壁７３Ｂには開口部７３Ｆが導出溝７６に貫通して設けられている。
【００７８】
包囲壁７３の左右の側壁７３Ｃ，７３Ｄとバスバー６１との間には、電極端子１２，１２間のピッチのずれを調整可能な隙間Ｓ２が設定されている。包囲壁７３のうち、左右の側壁７３Ｃ，７３Ｄは隣り合うバスバー６１間に配置されて絶縁状態を保持する絶縁壁としての機能を有している。
【００７９】
前壁７３Ｂおよび後壁７３Ａの略中央には、それぞれ、図１６に示すように、挿入されたバスバー６１の上方向への移動を規制して抜け止めするバスバー係止片７４が形成されている。バスバー係止片７４はバスバー６１を挿入する際に包囲壁７３の外側方向に弾性変形し、バスバー６１が底壁７３Ｅに載置されると、弾性復帰して、バスバー６１の上方への移動を規制するようになっている。
【００８０】
後壁７３Ａの中央よりも図１６における左側寄りの領域には、電圧検知端子６３の突片６５を受け入れて係止する端子係止孔７５が形成されている。
【００８１】
（導出溝７６）
導出溝７６は、保持部７２から導出された電圧検知端子６３のバレル部６３Ｂと、バレル部６３Ｂに圧着された検知電線Ｗが配される部材であり、保持部７２と電線収容部７８とを連通する溝状の部材である。導出溝７６は凹状をなしており、単電池１１の並び方向と略垂直な方向に設けられている。詳しくは、導出溝７６は、保持部７２の前壁７３Ｂの開口部７３Ｆを貫通して保持部７２と連通するとともに、電線収容部７８の後側溝壁部７９Ａ（詳細は後述）の開口部７９Ｃを貫通して電線収容部７８に連通するように設けられている。
【００８２】
（電線収容部７８）
電線収容部７８は、単電池１１の並び方向に延びる一対の溝壁部７９および一対の溝壁部７９をつなぐ底壁部７９Ｄによって断面凹状に構成されている。２つの保持ユニット７１同士を連結することで、電線収容部７８が連結され、単電池１１の並び方向に連通する１本の溝（電線収容溝７８）が形成される。
【００８３】
各保持ユニット７１の導出溝７６から導出された各検知電線Ｗは、略直角に屈曲されて、電線収容部７８の延設方向に沿って収容されるようなっている。電線収容部７８に収容された複数の検知電線Ｗは、電池ＥＣＵ側へ導出される。
【００８４】
一対の溝壁部７９のうち導出溝７６側の溝壁部７９を後側溝壁部７９Ａとし、もう一方の溝壁部７９を前側溝壁部７９Ｂとする。後側溝壁部７９Ａには後側溝壁部７９Ａを２つにわける開口部７９Ｃが設けられており、当該開口部７９Ｃには導出溝７６が貫通している。
【００８５】
一対の溝壁部７９の上端部には、対向する位置に、電線保持片８０が内側方向に突出形成されている。一対の電線保持片８０は、検知電線Ｗが電線収容部７８から離脱するのを防止している。
【００８６】
（保持ユニット７１の連結構造）
次に、隣り合う保持ユニット７１同士を連結するための連結構造について説明する。保持ユニット７１の、図１３における左端部の導出溝７６と隣接する位置には、図１３及び図１４に示すように、隣り合う保持ユニット７１同士を連結する連結突部８１が、保持部７２の側壁および電線収容部７８の端部よりも外側に突出するように設けられている。保持ユニット７１の図１３おける右端部には、図１３および図１５に示すように、隣り合う保持ユニット７１の連結突部８１を受け入れて連結する連結受け部８２が、保持部７２の粗鋼壁および電線収容部７８の端部よりも外側に突出するように設けられている。
【００８７】
連結突部８１の先端には連結係止爪８１Ａが設けられている。連結係止爪８１Ａが連結受け部８２の導出溝７６側の端部（図１２における左側の端部）に係止されることで、保持ユニット７１が連結されるようになっている。
【００８８】
連結受け部８２には一対の弾性片８２Ａが形成されている。一対の弾性片８２Ａは、連結係止爪８１Ａの挿入により外側に拡開変形し、連結係止爪８１Ａが連結受け部８２内を通過し終えると弾性復帰し、連結突部８１を係止するようになっている。
【００８９】
連結突部８１の長さ寸法は連結受け部８２の長さ寸法よりも長く設定されている。したがって、図１２に示すような、２つの保持ユニット７１を連結させた状態では、連結係止爪８１Ａは、図１２のＸ３で示す長さの分、単電池１１の並び方向に移動可能である。ここで、Ｘ３は、２つの保持ユニット７１を連結させた状態としたときの、連結係止爪８１Ａの連結受け部８２側の端面から連結受け部８２の導出溝７６側の端部までの距離である。
【００９０】
（電池配線モジュール６０の組み付け方法）
次に電池配線モジュール６０の組み付け方法について説明する。まず、各保持ユニット７１の各保持部７２内にバスバー６１を取り付ける。保持部７２の上方からバスバー６１を保持部７２内に挿入すると、バスバー６１は、保持部７２の後壁７３Ａおよび前壁７３Ｂに形成されたバスバー係止片７４に当接し、バスバー係止片７４が包囲壁７３の外側方向に撓み変形する。
【００９１】
さらにバスバー６１を下方に挿入し、バスバー６１が保持部７２の底壁７３Ｅに至ると、バスバー係止片７４が弾性復帰してバスバー６１の上に配される。これによりバスバー６１の上方向への移動が規制され抜け止めされる。
【００９２】
次に、バスバー６１を取り付けた２つの保持ユニット７１を連結する。図１７に示すように、左側に配されている保持ユニット７１の連結受け部８２の一対の弾性片８２Ａの間に、右側に配されている保持ユニット７１の連結突部８１を挿入する。すると、連結係止爪８１Ａが一対の弾性片８２Ａを外側に拡開変形させながら連結受け部８２内に挿入される。連結係止爪８１Ａが連結受け部８２内を通過し終えると一対の弾性片８２Ａが弾性復帰し、連結係止爪８１Ａが連結受け部８２に抜け止めされ、２つの保持ユニット７１が連結される（図１８を参照）。このとき、２つの保持ユニット７１の連結部分においては、連結突部８１が連結受け部８２内を図１８における左右方向に移動可能になっている。
【００９３】
次に、電圧検知端子６３を保持部７２の上方から、保持部７２に収容されたバスバー６１の上へと嵌め込むとともに、導出溝７６から電圧検知端子６３に圧着された検知電線Ｗを電線収容部７８（電線収容溝７８）に収容することにより、電圧検知端子６３を取り付ける。
【００９４】
電圧検知端子６３は、図１８に示すように、電圧検知端子６３に接続された検知電線Ｗを結束部材６６で１つにまとめた状態で保持部７２に取り付けられる。電圧検知端子６３を取り付ける際には、まず、電圧検知端子６３の突片６５を端子係止孔７５にさし込みと、電圧検知端子６３の突片６５が、端子係止孔７５により、上下方向への移動を規制され位置決めされる。
【００９５】
さらに、電圧検知端子６３のバレル部６３Ｂの端縁を、保持部７２に対して上方から押し込んでバレル部６３Ｂと検知電線Ｗを導出溝７６に嵌めこみ、検知電線Ｗを電線収容部７８に収容する。
【００９６】
電線収容部７８に形成された一対の電線保持片８０と検知電線Ｗが当接すると、電線保持片８０が下方に弾性変形する。検知電線Ｗを電線収容部７８内に押し込んで、検知電線Ｗが電線保持片８０よりも下方に配されると、電線保持片８０が弾性復帰し、電線収容部７８に収容された検知電線Ｗが上方から飛び出さないように保持される。このようにして電池配線モジュール６０が得られる。
【００９７】
次に、電池配線モジュール６０を単電池群５０に組み付ける。隣り合う単電池１１の隣り合う電極端子１２が異なった極性となるように並べて単電池群５０を作製しておき、単電池群５０に電池配線モジュール６０を組み付ける。具体的には、各バスバー６１の貫通孔６２及びこの貫通孔６２と重なり合う電圧検知端子６３の挿通孔６４に、単電池１１の電極端子１２（電極ポスト１３Ｂ）を挿通させる。
【００９８】
貫通孔６２、又は貫通孔６２及び挿通孔６４を電極ポスト１３Ｂに挿通させてバスバー６１を電極端子１２の台座（図示せず）に接触させるように配して、各電極ポスト１３Ｂに図示しないネジ部材を螺合して固定する。上記の作業を繰り返して、電極ポスト１３Ｂにネジ部材を固定し終わったら、単電池群５０は電気的に接続可能となり、電池モジュールＭ２が完成する。
【００９９】
（本実施形態の作用、効果）
以下、本実施形態の作用および効果について説明する。本実施形態において、バスバー６１は樹脂プロテクタ７０の保持部７２により、複数の単電池１１の並び方向に移動可能に保持されるので、電極端子１２，１２間のピッチのずれが生じた場合に、バスバー６１が単電池１１の並び方向に移動することでピッチのずれを調整することができる。その結果、本実施形態によれば隣り合う電極端子１２，１２間のピッチのずれを容易に調整可能な電池配線モジュール６０を提供することができる。
【０１００】
また、本実施形態によれば、樹脂プロテクタ７０の保持部７２には、隣り合うバスバー６１の間に配されて、隣り合うバスバー６１の絶縁状態を保持する絶縁壁として機能する左右の側壁７３Ｃ，７３Ｄが設けられているから、隣り合うバスバー６１の絶縁状態を保持できる。
【０１０１】
ところで、単電池群５０を構成する単電池１１が、単電池１１の並び方向に膨張・収縮することにより、電極端子１２，１２間のピッチのずれが大きくなると、一体成形型の樹脂プロテクタ７０ではピッチのずれを調整できなくなるおそれがある。
しかしながら、本実施形態によれば、樹脂プロテクタ７０は、保持部７２を備える保持ユニット７１を、複数備え、複数の保持ユニット７１は、単電池１１の並び方向に移動可能に連結されているから、電極端子１２，１２間のピッチのずれが大きくなったとしても、保持ユニット７１が単電池１１の並び方向に移動することで、ピッチのずれを調整することができる。
【０１０２】
＜他の実施形態＞
本発明は上記記述及び図面によって説明した実施形態に限定されるものではなく、例えば次のような実施形態も本発明の技術的範囲に含まれる。
（１）上記実施形態では隣り合うバスバー２１間に配され、隣り合うバスバー２１の絶縁状態を保持する絶縁壁３３が設けられている保持部３２を示したが、バスバー間に保持部以外の別部材を配してバスバー間の絶縁を行ってもよい。
（２）上記実施形態では、複数の保持ユニット３１，７１が、単電池１１の並び方向に移動可能に連結されている樹脂プロテクタ２０，７０を示したが、一体的な樹脂プロテクタであってもよい。
（３）上記実施形態１では、保持部３２にバスバー２１を取り付け可能な取付突部３４が設けられる一方、バスバー２１およびＦＰＣ４０には、それぞれ、長円状の取付孔２６，４５が設けられている構成を示したが、保持部に取付孔を設けてバスバーおよびＦＰＣに取付突部を設けてもよい。
（４）上記実施形態１では、バスバー２１の間に配される領域に撓み部４７が形成されているＦＰＣ４０を示したが、撓み部が形成されていないＦＰＣを備える構成としてもよい。
（５）上記実施形態１では、電圧検知用導電路４２Ａとともに、温度制御用導電路４２Ｂが形成されているＦＰＣ４０を示したが、いずれか一方のみを形成したＦＦＣであってもよい。
（６）上記実施形態１では、ＦＰＣ４０とバスバー２１とを半田パッド４３を介して接着した例を示したが、ＦＰＣとバスバーとを導電性の接着剤で接着してもよい。
【符号の説明】
【０１０３】
Ｍ１，Ｍ２…電池モジュール
１０，５０…単電池群
１１…単電池
１２…電極端子
１２Ａ…正極端子
１２Ｂ…負極端子
２０，６０…電池配線モジュール
２１，６１…バスバー（接続部材）
２１Ａ…第１バスバー
２１Ｂ…第２バスバー
２１Ｃ…第３バスバー
２３，６２…貫通孔
２６…（バスバーの）取付孔
３０，７０…樹脂プロテクタ
３１…保持ユニット
３１Ａ…第１保持ユニット
３１Ｂ…第２保持ユニット
３２，７２…保持部
３３…仕切壁（絶縁壁）
３４…取付突部
３７…連結係止片
３７Ａ…連結係止爪
３８…係止片挿入孔
３９…係止片係止孔
３９Ａ…孔縁
Ｓ１，Ｓ２…隙間
４０…ＦＰＣ
４２…導電路
４２Ａ…電圧検知用導電路
４２Ｂ…温度制御用導電路
４３…半田パッド
４５…（ＦＰＣの）取付孔
４６…挿入片
４６Ａ…サーミスタ
４６…撓み部
７３…包囲壁
７３Ｃ…左側壁（絶縁壁）
７３Ｄ…右側壁（絶縁壁）
８１…連結突部
８１Ａ…連結係止爪
８２…連結受け部
８２Ａ…弾性片
【図１】
2013105571.tif 000003
【図２】
2013105571.tif 000004
【図３】
2013105571.tif 000005
【図４】
2013105571.tif 000006
【図５】
2013105571.tif 000007
【図６】
2013105571.tif 000008
【図７】
2013105571.tif 000009
【図８】
2013105571.tif 000010
【図９】
2013105571.tif 000011
【図１０】
2013105571.tif 000012
【図１１】
2013105571.tif 000013
【図１２】
2013105571.tif 000014
【図１３】
2013105571.tif 000015
【図１４】
2013105571.tif 000016
【図１５】
2013105571.tif 000017
【図１６】
2013105571.tif 000018
【図１７】
2013105571.tif 000019
【図１８】
2013105571.tif 000020